(57)【要約】【課題】本発明の課題は、アプリケーションのダウンロード、課金等の機能に制限がかかった端末装置であっても、携帯端末用の回線の利用環境を改善することができるシステムを提供することにある。【解決手段】ユーザは、端末装置２０を操作して広告サーバ３０にアクセスし、広告を閲覧する。サービス提供装置１０は、広告サーバ３０へのアクセス数を、端末装置２０ごとに管理する。そして、端末装置２０は、アクセス数に基づいたアクセスポイントが所定条件を満たすと、端末装置２０の通信環境を改善するための要求（改善要求）を、端末装置２０の通信速度を制御する通信速度制御装置４０に送信する。通信速度制御装置４０は、サービス提供装置１０からの改善要求に応じて、端末装置２０の通信環境を改善する。【選択図】図６
2019164412.tif 000002
【特許請求の範囲】
【請求項１】
広告を提供する広告サーバへのアクセス数を、端末装置別に取得するアクセス数管理手段と、
前記アクセス数に基づいたアクセスポイントが所定条件を満たすか判断する判断手段と、
前記アクセスポイントが前記所定条件を満たす場合、対応する前記端末装置の通信環境を改善するための要求を送信する要求送信手段と、
を有するサービス提供装置。
【請求項２】
請求項１に記載のサービス提供装置において、
前記アクセス数管理手段は、前記広告サーバにアクセスした前記端末装置を識別する情報を前記広告サーバから取得し、取得した前記情報に基づき、前記端末装置別に前記アクセス数をカウントするサービス提供装置。
【請求項３】
請求項１に記載のサービス提供装置において、
前記アクセス数管理手段は、前記広告サーバにアクセスした複数の前記端末装置各々から前記アクセス数を取得するサービス提供装置。
【請求項４】
請求項１に記載のサービス提供装置において、
前記アクセスポイントは、第１の前記端末装置から取得した前記アクセス数に基づいた第１のアクセスポイントであるサービス提供装置。
【請求項５】
請求項３に記載のサービス提供装置において、
前記アクセスポイントは、前記複数の端末装置から取得した複数の前記アクセス数に基づいた総アクセスポイントであるサービス提供装置。
【請求項６】
請求項３に記載のサービス提供装置において、
前記アクセスポイントは、
第１の前記端末装置から取得した前記アクセス数に基づいた第１のアクセスポイント、及び、前記複数の端末装置から取得した複数の前記アクセス数に基づいた総アクセスポイントであり、
前記判断手段は、
前記第１のアクセスポイントが第１の所定条件を満たすか判断し、
前記総アクセスポイントが第２の所定条件を満たすか判断するサービス提供装置。
【請求項７】
広告サーバへのアクセス数をカウントするカウント手段と、
前記アクセス数に基づくサービスを外部装置に要求するアクセス数送信手段と、
を有する端末装置。
【請求項８】
コンピュータが、
広告を提供する広告サーバへのアクセス数を、端末装置別に取得するアクセス数管理工程と、
前記アクセス数に基づいたアクセスポイントが所定条件を満たすか判断する判断工程と、
前記アクセスポイントが前記所定条件を満たす場合、対応する前記端末装置の通信環境を改善するための要求を送信する要求送信工程と、
を実行するサービス提供方法。
【請求項９】
コンピュータを、
広告を提供する広告サーバへのアクセス数を、端末装置別に取得するアクセス数管理手段、
前記アクセス数に基づいたアクセスポイントが所定条件を満たすか判断する判断手段、
前記アクセスポイントが前記所定条件を満たす場合、対応する前記端末装置の通信環境を改善するための要求を送信する要求送信手段、
として機能させるプログラム。
【請求項１０】
コンピュータが、
広告サーバへのアクセス数をカウントするカウント工程と、
前記アクセス数に基づくサービスを外部装置に要求するアクセス数送信工程と、
を実行する端末装置の処理方法。
【発明の詳細な説明】
【技術分野】
【０００１】
本発明は、サービス提供装置、端末装置、サービス提供方法、端末装置の処理方法及びプログラムに関する。
【背景技術】
【０００２】
端末装置を利用したユーザの各種操作に対して各種インセンティブを与えることが検討されている。特許文献１には、ユーザによるインセンティブ付き行動の実行に応じて、ユーザにオファーを提示することが開示されている。インセンティブ付き行動は、ゲームのダウンロード、アプリケーションのダウンロード、アプリケーションの有料機能のアンロック等が例示されている。オファーは、モバイルアカウントに帯域幅を追加するオファー、いくらかの金額をワイヤレス請求書から差し引くオファー等が例示されている。
【先行技術文献】
【特許文献】
【０００３】
【特許文献１】特表２０１６−５３１３４７号公報
【発明の概要】
【発明が解決しようとする課題】
【０００４】
特許文献１に開示された端末装置に、アプリケーションのダウンロードができない、課金ができない等の機能制限がかかっている場合、ユーザは、インセンティブ付き行動を実行することができない。つまり、このような端末装置のユーザは、オファーを受けることができないという問題がある。
【０００５】
本開示の目的は、上述した課題を鑑み、アプリケーションのダウンロード、課金等の機能に制限がかかった端末装置であっても、携帯端末（スマートフォン、携帯電話等）用の回線（以下、「モバイル回線」）の利用環境を改善することができるシステムを提供することにある。
【課題を解決するための手段】
【０００６】
本発明によれば、
広告を提供する広告サーバへのアクセス数を、端末装置別に取得するアクセス数管理手段と、
前記アクセス数に基づいたアクセスポイントが所定条件を満たすか判断する判断手段と、
前記アクセスポイントが前記所定条件を満たす場合、対応する前記端末装置の通信環境を改善するための要求を送信する要求送信手段と、
を有するサービス提供装置が提供される。
【０００７】
また、本発明によれば、
広告サーバへのアクセス数をカウントするカウント手段と、
前記アクセス数に基づくサービスを外部装置に要求するアクセス数送信手段と、
を有する端末装置が提供される。
【０００８】
また、本発明によれば、
コンピュータが、
広告を提供する広告サーバへのアクセス数を、端末装置別に取得するアクセス数管理工程と、
前記アクセス数に基づいたアクセスポイントが所定条件を満たすか判断する判断工程と、
前記アクセスポイントが前記所定条件を満たす場合、対応する前記端末装置の通信環境を改善するための要求を送信する要求送信工程と、
を実行するサービス提供方法が提供される。
【０００９】
また、本発明によれば、
コンピュータを、
広告を提供する広告サーバへのアクセス数を、端末装置別に取得するアクセス数管理手段、
前記アクセス数に基づいたアクセスポイントが所定条件を満たすか判断する判断手段、
前記アクセスポイントが前記所定条件を満たす場合、対応する前記端末装置の通信環境を改善するための要求を送信する要求送信手段、
として機能させるプログラムが提供される。
【００１０】
また、本発明によれば、
コンピュータが、
広告サーバへのアクセス数をカウントするカウント工程と、
前記アクセス数に基づくサービスを外部装置に要求するアクセス数送信工程と、
を実行する端末装置の処理方法が提供される。
【発明の効果】
【００１１】
本開示によれば、機能制限がかかった端末装置であっても、モバイル回線の利用環境を改善できる可能性が高まる。
【図面の簡単な説明】
【００１２】
【図１】本実施形態のシステムの全体像を示す機能ブロック図の一例である。
【図２】本実施形態の装置のハードウエア構成の一例を示す図である。
【図３】本実施形態の端末装置の機能ブロック図の一例を示す図である。
【図４】本実施形態の端末装置に表示される情報の一例を示す図である。
【図５】本実施形態の端末装置に表示される情報の一例を示す図である。
【図６】本実施形態の端末装置に表示される情報の一例を示す図である。
【図７】本実施形態のサービス提供装置の機能ブロック図の一例を示す図である。
【図８】本実施形態のサービス提供装置が記憶する情報の一例を模式的に示す図である。
【図９】本実施形態のサービス提供装置の処理の流れの一例を示すフローチャートである。
【図１０】本実施形態のサービス提供装置が記憶する情報の一例を模式的に示す図である。
【図１１】本実施形態のサービス提供装置が記憶する情報の一例を模式的に示す図である。
【図１２】本実施形態のシステムの全体像を示す機能ブロック図の一例である。
【図１３】本実施形態の端末装置の機能ブロック図の一例を示す図である。
【発明を実施するための形態】
【００１３】
＜第１の実施形態＞
「ビジネスモデルの概要」
まず、本実施形態のビジネスモデルの概要を説明する。当該ビジネスモデルにおいては、モバイル回線を利用したデータ通信サービス（以下、「モバイルデータ通信サービス」という）を提供する事業者（以下、「通信サービス事業者」という）と、モバイルデータ通信サービスのユーザ（以下、「通信ユーザ」という）と、インターネット経由で広告を提供するネット広告主とが登場する。通信サービス事業者は、ＭＮＯ（Mobile Network Operator）やＭＶＮＯ（Mobile Virtual Network Operator）などである。
【００１４】
通信ユーザは、通信サービス事業者と契約し、モバイルデータ通信サービスを受ける。結果、通信ユーザは所定のモバイル回線を利用してデータ通信を行うことが可能となる。なお、通信ユーザと通信サービス事業者との間には、毎月のデータ通信量の上限が定められる。当該上限を超えると通信規制がかかり、上記モバイル回線を利用した通信の通信速度が制限される。通信速度が制限中の場合、端末装置は、通信規制がかかる前の通信速度よりも低速で通信する。
【００１５】
以下、通信規制がかかる前のデータ通信を「高速通信」といい、通信規制がかかった後のデータ通信を「低速通信」という。高速通信の通信速度の一例は、例えば、受信：最大１００Ｍｂｐｓ程度、送信：最大５０Ｍｂｐｓ程度であり、低速通信の通信速度の一例は、例えば、送受信共に最大１２８ｋｂｐｓ程度である。なお、ここでの通信速度はあくまで一例であり、これに限定されない。
【００１６】
ネット広告主は、通信サービス事業者との間で、自身の広告の閲覧状況が所定の条件を満たした場合、対象の通信ユーザのモバイル回線の利用環境を、ネット広告主からの依頼に基づき改善できるようにする契約を行う。広告の閲覧状況が所定の条件満たすとは、例えば、当該広告への１つの端末装置当たりのアクセス数が第１の基準値以上になることであってもよいし、当該広告への総アクセス数が第２の基準値以上になることであってもよいし、この両方であってもよい。モバイル回線の利用環境（以下、「通信環境」という）の改善とは、例えば、通信規制によりデータ通信が低速通信になっている場合、データ通信を高速通信に戻す（すなわち、現在よりも通信速度を高速にする）こと、通信規制により端末装置の通信速度が制限中の場合、当該端末装置の通信速度の制限を解除すること等が挙げられる。なお、ネット広告主は、通信ユーザのモバイル回線の利用環境を改善してもらうことに対する対価を通信サービス事業者に支払ってもよい。
【００１７】
当該ビジネスモデルの場合、通信ユーザは、所定の条件を満たすようにネット広告主の広告を閲覧することで、自身のモバイル回線の利用環境を改善することができる。すなわち、追加料金を支払うことなく、広告の閲覧という行動により、自身のモバイル回線の利用環境の改善を実現できる。このため、課金等の機能制限がかかった端末装置であっても、モバイル回線の利用環境を改善できる可能性が高まる。また、所定の条件が、例えば、広告への総アクセス数が第２の基準値以上になることである場合、当該所定の条件を満たすために複数の通信ユーザが共同参加することができる。この場合、１つの端末装置あたりのアクセス数が少なくても、モバイル回線の利用環境を改善できる可能性が高まる。
【００１８】
また、当該ビジネスモデルの場合、通信ユーザは、ネット広告主の広告を積極的に閲覧するようになる。結果、より多くの人に自身の広告を閲覧してもらいたいというネット広告主の希望が満たされる。
【００１９】
「システムの全体像及び概要」
次に、このようなビジネスモデルを実現するシステムの全体像及び概要を説明する。図１に示すように、当該システムは、サービス提供装置１０と、端末装置２０と、広告サーバ３０と、通信速度制御装置４０とを有する。
【００２０】
サービス提供装置１０及び広告サーバ３０はネット広告主により管理される装置である。端末装置２０は通信ユーザにより管理される装置であり、スマートフォン、タブレット端末、携帯電話等が例示される。通信速度制御装置４０は通信サービス事業者により管理される装置である。
【００２１】
端末装置２０は、ユーザ操作に応じて広告サーバ３０にアクセスし、広告を取得する。そして、端末装置２０は、取得した広告をディスプレイに表示する。なお、端末装置２０は、広告サーバ３０にアクセスする時、自装置（端末装置２０）を識別する情報を広告サーバ３０に送信する。
【００２２】
広告サーバ３０は、端末装置２０からの要求に応じて、広告を送信する。また、広告サーバ３０は、アクセスしてきた端末装置２０を識別する情報をサービス提供装置１０に送信する。
【００２３】
サービス提供装置１０は、端末装置２０別に広告サーバ３０へのアクセス数を管理し、アクセス数に基づいたアクセスポイントが所定条件を満たすか判断する。そして、サービス提供装置１０は、アクセスポイントが所定条件を満たす場合、対応する端末装置２０における通信環境を改善するための要求を、通信速度制御装置４０に送信する。通信環境を改善するため要求とは、例えば、端末装置２０の通信速度に関する要求であってもよい。端末装置２０の通信速度に関する要求とは、例えば、通信速度を現在よりも高速に変更する要求であってもよいし、端末装置２０の通信速度が制限中の場合、当該通信速度の制限を解除することであってもよい。
【００２４】
通信速度制御装置４０は、端末装置２０のモバイル回線の利用環境を制御する。具体的には、通信速度制御装置４０は、端末装置２０の通信速度を制御する。通信速度の制御とは、通信速度を高速／低速の間で切り替えることであってもよいし、通信速度を現在よりも高速／低速に変更することであってもよい。例えば、通信速度制御装置４０は、月のデータ通信量が毎月のデータ通信量の上限を超えると、端末装置２０の通信速度を高速から低速に切り替える。
【００２５】
また、通信速度制御装置４０は、サービス提供装置１０から受信した要求に基づき、端末装置２０の通信速度を制御することができる。例えば、通信速度制御装置４０は、サービス提供装置１０からの要求に応じて、端末装置２０の通信速度を低速から高速に切り替える。
【００２６】
「端末装置２０の構成」
次に、端末装置２０の構成を説明する。まず、端末装置２０のハードウエア構成の一例について説明する。端末装置２０が備える機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２７】
図２は、端末装置２０のハードウエア構成を例示するブロック図である。図２に示すように、端末装置２０は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａを有さなくてもよい。
【００２８】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit）やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサー等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２９】
図３に、端末装置２０の機能ブロック図の一例を示す。図示するように、端末装置２０は、取得部２１と、表示部２２とを有する。
【００３０】
取得部２１は、広告サーバ３０にアクセスして、広告を取得する。そして、表示部２２は、取得部２１により取得された広告をディスプレイに表示する。なお、取得部２１は、広告サーバ３０にアクセスして広告を取得する時、自装置（端末装置２０）を識別する情報を広告サーバ３０に送信する。
【００３１】
上述の通り、当該広告サーバ３０にアクセスした回数（アクセス数）に基づいたアクセスポイントが所定条件を満たすと、端末装置２０の通信速度に関する要求が通信速度制御装置４０に送信されることとなる。端末装置２０は、このような特徴的な広告サーバ３０にアクセスして広告を取得し、表示する。
【００３２】
ここで、当該端末装置２０の具体例を説明する。まず、通信ユーザは、広告サーバ３０へのアクセス数に応じてモバイル回線の利用環境を改善させるサービス（以下、「広告閲覧に応じた回線改善サービス」）を受けるためのアプリを自身の端末装置２０にインストールする。通信ユーザは、このアプリの初期設定において、自身の属性情報（氏名、住所、年齢、生年月日等）等を登録する。当該情報は、広告閲覧に応じた回線改善サービスを受けるユーザと、通信サービス事業者によるモバイルデータ通信サービスを受けるユーザ（通信ユーザ）とを紐付けるために利用される。また、当該情報は、広告サーバ３０にアクセスし、広告を要求した通信ユーザを識別するために利用される。なお、初期設定において、通信ユーザは、契約している通信サービス事業者等の他の情報を登録してもよい。
【００３３】
次に、上記端末装置２０が広告サーバ３０にアクセスして広告を取得する具体例を示す。なお、以下の例は、通信ユーザ（端末装置２０）が上記アプリにログインした状態であることを前提とする。
【００３４】
第１の例として、取得部２１は、広告サーバ３０にアクセスする指示を入力するためのボタンをディスプレイに表示しておき、当該ボタンに対する操作に応じて、広告サーバ３０にアクセスして広告を取得することができる。
【００３５】
例えば、図４に示すように、上記アプリを起動するためのアイコンＩがホーム画面に表示される。当該アイコンＩに対する操作（例：タップ）がなされると、取得部２１は、それに応じて広告サーバ３０にアクセスして広告を取得する。そして、表示部２２は、図５に示すように、取得部２１により取得された広告をディスプレイに表示する。
【００３６】
変形例として、アイコンＩに対する操作に応じてアプリの画面がディスプレイに表示され、その画面内に、広告サーバ３０にアクセスする指示を入力するためのボタンが表示されてもよい。そして、取得部２１は、当該ボタンに対する操作（例：タップ）に応じて広告サーバ３０にアクセスして広告を取得してもよい。
【００３７】
第２の例として、取得部２１は、ディスプレイの立ち上げに応じて広告サーバ３０にアクセスして広告を取得することができる。例えば、取得部２１は、ディスプレイに情報が表示されていない状態からディスプレイに情報が表示された状態に変化すると（ディスプレイが立ち上がると）、当該変化に応じて広告サーバ３０にアクセスして広告を取得することができる。ディスプレイに情報が表示されていない状態ではディスプレイのバックライトが消灯しており、ディスプレイに情報が表示されている状態ではディスプレイのバックライトが点灯している。
【００３８】
当該例の場合、取得部２１は、このような端末装置２０の状態の変化（ディスプレイの立ち上げ、ディスプレイに情報が表示されていない状態からディスプレイに情報が表示された状態への変化、ディスプレイのバックライトが消灯している状態から点灯している状態への変化等）を検出する。そして、取得部２１は、当該検出に応じて広告サーバ３０にアクセスして広告を取得する。
【００３９】
当該例の場合、表示部２２は、図６に示すように、ディスプレイの立ち上げ直後にディスプレイに表示される画面（図６の場合、ロック画面）に、広告の簡易情報Ｍを表示することができる。そして、簡易情報Ｍに対する操作（例：タップ）に応じて（さらに、ロックを解除する操作に応じて）、表示部２２は、図５に示すように、広告の詳細情報をディスプレイに表示することができる。
【００４０】
なお、ディスプレイの立ち上げに応じて取得部２１が広告サーバ３０から取得する広告には、簡易情報と詳細情報の両方が含まれていてもよい。変形例として、ディスプレイの立ち上げに応じて取得部２１が広告サーバ３０から取得する広告は、広告の簡易情報であってもよい。そして、取得部２１は、簡易情報に対する操作に応じて（さらに、ロックを解除する操作に応じて）、広告サーバ３０に再度アクセスして広告の詳細情報を取得してもよい。
【００４１】
第３の例として、取得部２１は、ロック画面がディスプレイに表示されたことに応じて広告サーバ３０にアクセスして広告を取得することができる。当該例の場合、取得部２１は、このような端末装置２０の状態の変化（ロック画面が表示されていない状態からロック画面が表示された状態への変化）を検出する。そして、取得部２１は、当該検出に応じて広告サーバ３０にアクセスして広告を取得する。
【００４２】
当該例の場合、表示部２２は、図６に示すように、ロック画面に、広告の簡易情報Ｍを表示することができる。そして、簡易情報Ｍに対する操作（例：タップ）及びロックを解除する操作に応じて、表示部２２は、図５に示すように、広告をディスプレイに表示することができる。
【００４３】
なお、ロック画面の表示に応じて取得部２１が広告サーバ３０から取得する広告には、簡易情報と詳細情報の両方が含まれていてもよい。変形例として、ロック画面の表示に応じて取得部２１が広告サーバ３０から取得する広告は、広告の簡易情報であってもよい。そして、取得部２１は、簡易情報に対する操作及びロックを解除する操作に応じて、広告サーバ３０にアクセスして広告の詳細情報を取得してもよい。
【００４４】
第４の例として、取得部２１は、ホーム画面がディスプレイに表示されたことに応じて広告サーバ３０にアクセスして広告を取得することができる。当該例の場合、取得部２１は、このような端末装置２０の状態の変化（ホーム画面が表示されていない状態からホーム画面が表示された状態への変化）を検出する。そして、取得部２１は、当該検出に応じて広告サーバ３０にアクセスして広告を取得する。
【００４５】
当該例の場合、表示部２２は、ホーム画面に、広告の簡易情報を表示することができる。そして、簡易情報に対する操作（例：タップ）に応じて、表示部２２は、図５に示すように、広告をディスプレイに表示する。
【００４６】
なお、ホーム画面の表示に応じて取得部２１が広告サーバ３０から取得する広告には、簡易情報と詳細情報の両方が含まれていてもよい。変形例として、ホーム画面の表示に応じて取得部２１が広告サーバ３０から取得する広告は、広告の簡易情報であってもよい。そして、取得部２１は、簡易情報に対する操作に応じて、広告サーバ３０にアクセスして広告の詳細情報を取得してもよい。
【００４７】
「広告サーバ３０の構成」
次に、広告サーバ３０の構成を説明する。まず、広告サーバ３０のハードウエア構成の一例について説明する。広告サーバ３０が備える機能部は、任意のコンピュータのＣＰＵ、メモリ、メモリにロードされるプログラム、そのプログラムを格納するハードディスク等の記憶ユニット（あらかじめ装置を出荷する段階から格納されているプログラムのほか、ＣＤ等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。広告サーバ３０のハードウエア構成の一例は、端末装置２０と同様に図２で示される。
【００４８】
広告サーバ３０は、端末装置２０から広告要求を受信すると、端末装置２０に広告を送信する。
【００４９】
また、広告サーバ３０は、広告サーバ３０にアクセスしてきた端末装置２０（広告要求を送信してきた端末装置２０）を識別する情報を、サービス提供装置１０に送信する。端末装置２０を識別する情報は、端末装置２０を利用する通信ユーザを識別する情報であってもよい。通常、端末装置２０と、当該端末装置に装着したＳＩＭカード（Subscriber Identity Module Card）の契約者（通信ユーザ）とが一対一で対応する。上述した具体例の場合、アプリにログインした状態の通信ユーザが広告サーバ３０にアクセスして広告を要求することになるので、ログイン情報に基づき、広告サーバ３０にアクセスしてきた通信ユーザを識別することができる。
【００５０】
「サービス提供装置１０の構成」
次に、サービス提供装置１０の構成を説明する。まず、サービス提供装置１０のハードウエア構成の一例について説明する。サービス提供装置１０が備える機能部は、任意のコンピュータのＣＰＵ、メモリ、メモリにロードされるプログラム、そのプログラムを格納するハードディスク等の記憶ユニット（あらかじめ装置を出荷する段階から格納されているプログラムのほか、ＣＤ等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。サービス提供装置１０のハードウエア構成の一例は、端末装置２０と同様に図２で示される。
【００５１】
図７に、サービス提供装置１０の機能ブロック図の一例を示す。図示するように、サービス提供装置１０は、アクセス数管理部１１と、判断部１２と、要求送信部１３とを有する。
【００５２】
アクセス数管理部１１は、広告サーバ３０へのアクセス数を、端末装置２０別に取得し、管理する。アクセス数管理部１１は、広告サーバ３０にアクセスした端末装置２０を識別する情報を広告サーバ３０から取得し、取得した情報に基づき、端末装置２０別にアクセス数をカウントすることができる。
【００５３】
図８に、アクセス数管理部１１が保持するアクセス情報の一例を模式的に示す。図示するアクセス情報では、端末装置ＩＤ（identifier）と、広告サーバ３０へのアクセス数とが対応付けられている。アクセス数管理部１１は、広告サーバ３０にアクセスした端末装置２０を識別する情報を広告サーバ３０から受信すると、それに基づき、その端末装置２０のアクセス数を更新する（１増加する）。また、アクセス数管理部１１は、所定のタイミングで、アクセス数を０にリセットすることができる。
【００５４】
所定のタイミングは、通信サービス事業者がカウントしている通信ユーザの月毎のデータ通信量を締めるタイミング等である。サービス提供装置１０は、当該タイミングの到来を、通信サービス事業者のシステムから受信し、当該受信に応じてアクセス数を０にリセットしてもよい。その他、予め、サービス提供装置１０には、当該タイミングを示す情報（例：毎月１日０時００分）が登録されていてもよい。そして、サービス提供装置１０は自身で当該タイミングの到来を監視してもよい。
【００５５】
図４及び図５を用いて説明した例のように、端末装置２０は所定のボタン（アプリのアイコン）に対する操作に応じて広告サーバ３０にアクセスして広告を取得する場合、広告サーバ３０は当該アクセスに応じて、当該端末装置２０を識別する情報をサービス提供装置１０に送信することができる。そして、当該端末装置２０のアクセス数が１増加する。
【００５６】
図５及び図６を用いて説明した例のように、端末装置２０はディスプレイの立ち上げ、ロック画面の表示又はホーム画面の表示等に応じて広告サーバ３０にアクセスして広告（簡易情報及び詳細情報を含む）を取得する場合、広告サーバ３０は当該アクセスに応じて、当該端末装置２０を識別する情報をサービス提供装置１０に送信することができる。そして、当該端末装置２０のアクセス数が１増加する。
【００５７】
なお、図５及び図６を用いて説明した例のように、端末装置２０はディスプレイの立ち上げ、ロック画面の表示又はホーム画面の表示等に応じて広告サーバ３０にアクセスして広告の簡易情報を取得し、その後、簡易情報への操作に応じて広告サーバ３０にアクセスして広告の詳細情報を取得する場合、広告サーバ３０は簡易情報を取得するためのアクセス、及び、詳細情報を取得するためのアクセスの内、いずれか一方に応じて、当該端末装置２０を識別する情報をサービス提供装置１０に送信することができる。この場合、簡易情報の取得及び詳細情報の取得のいずれか一方に応じて、当該端末装置２０のアクセス数が１増加する。
【００５８】
他の例として、図５及び図６を用いて説明した例のように、端末装置２０はディスプレイの立ち上げ、ロック画面の表示又はホーム画面の表示等に応じて広告サーバ３０にアクセスして広告の簡易情報を取得し、その後、簡易情報への操作に応じて広告サーバ３０にアクセスして広告の詳細情報を取得する場合、広告サーバ３０は簡易情報を取得するためのアクセス、及び、詳細情報を取得するためのアクセスの両方に応じて、当該端末装置２０を識別する情報をサービス提供装置１０に送信することができる。この場合、簡易情報の取得及び詳細情報の取得各々に応じて、当該端末装置２０のアクセス数が１増加する。すなわち、簡易情報を取得後、詳細情報を取得した場合、アクセス数は合計２増加する。
【００５９】
判断部１２は、アクセス数に基づいたアクセスポイントが所定条件を満たすか判断する。 
【００６０】
アクセスポイントは、アクセス数が多い程大きい値となるように決定されてもよい。例えば、アクセス数がそのままアクセスポイントとなってもよい（アクセス数＝アクセスポイント）。その他、所定の演算式に基づきアクセス数からアクセスポイントが算出されてもよい。演算式は、広告閲覧に応じた回線改善サービスを受けるユーザ（以下、「広告閲覧ユーザ」）毎に異なってもよい。例えば、過去の広告サーバ３０へのアクセス数に基づき、広告閲覧ユーザをランク分けしてもよい。アクセス数が多い程、ランクが高くなる。そして、ランクの高い広告閲覧ユーザの演算式程、より大きいアクセスポイントが算出される内容となっていてもよい。
【００６１】
また、アクセスポイントは、端末装置２０毎に算出されてもよい。すなわち、端末装置２０毎に、各端末装置２０のアクセス数に基づき、アクセスポイント（第１のアクセスポイント）が算出されてもよい。例えば、第１のアクセスポイントは、第１の端末装置２０から取得したアクセス数に基づいたアクセスポイントとなる。この場合の所定条件（第１の所定条件）は、各端末装置２０の第１のアクセスポイントが第１の基準ポイント以上となる。そして、判断部１２は、各端末装置２０の第１のアクセスポイントが第１の基準ポイント以上か否か（第１の所定条件を満たすか否か）を判断する。
【００６２】
その他、アクセスポイントは広告毎に算出されてもよい。すなわち、１つ又は複数の端末装置２０による１つの広告への総アクセス数に基づいたアクセスポイント（総アクセスポイント）が算出されてもよい。なお、総アクセス数を算出した後に、総アクセス数に基づき総アクセスポイントを算出してもよいし、端末装置２０毎にアクセスポイントを算出した後、それを足し合わせることで総アクセスポイントを算出してもよい。例えば、総アクセスポイントは、複数の端末装置２０から取得したアクセス数に基づいたアクセスポイントとなる。この場合の所定条件（第２の所定条件）は、総アクセスポイントが第２の基準ポイント以上となる。そして、判断部１２は、総アクセスポイントが第２の基準ポイント以上か否か（第２の所定条件を満たすか否か）を判断する。
【００６３】
その他、アクセスポイントは、端末装置２０毎及び広告毎に算出されてもよい。すなわち、端末装置２０毎に上記第１のアクセスポイントが算出されるとともに、上記総アクセスポイントが算出されてもよい。そして、判断部１２は、各端末装置２０の第１のアクセスポイントが第１の基準ポイント以上か否か（第１の所定条件を満たすか否か）を判断するとともに、総アクセスポイントが第２の基準ポイント以上か否か（第２の所定条件を満たすか否か）を判断してもよい。
【００６４】
なお、アクセスポイントは、アクセス数が多い程小さい値となるように決定することもできる。この場合、第１の所定条件は第１の基準ポイント未満となり、第２の所定条件は第２の基準ポイント未満となる。
【００６５】
要求送信部１３は、アクセスポイントが所定条件を満たす場合、対応する端末装置２０の通信環境を改善するための要求を、端末装置２０の通信速度を制御する通信速度制御装置４０に送信する。「対応する端末装置２０」は、第１のアクセスポイントが第１の所定条件を満たす端末装置２０、総アクセスポイントが第２の所定条件を満たす広告にアクセスした端末装置２０、又は、この両方である。要求は、例えば、端末装置２０の通信速度を現在よりも高速に変更する要求（例：低速通信を高速通信に変更する要求）である。
【００６６】
例えば、アクセスポイントが所定条件を満たした時の対応する端末装置２０の通信速度が低速通信である場合、要求送信部１３は、アクセスポイントが所定条件を満たしたことに応じて、通信速度制御装置４０に上記要求を送信することができる。
【００６７】
一方、アクセスポイントが所定条件を満たした時の対応する端末装置２０の通信速度が高速通信である場合、要求送信部１３は、その後、所定期間内に（例：アクセス数がリセットされるまでの間に）、その端末装置２０の通信速度が低速通信になったことに応じて、通信速度制御装置４０に上記要求を送信することができる。
【００６８】
サービス提供装置１０は、端末装置２０からその時点の通信速度が高速通信、低速通信のいずれであるかを示す情報を取得することができる。例えば、端末装置２０にインストールされた上記アプリが、端末装置２０の通信速度の状態を管理する管理部から、現時点の通信速度が高速通信、低速通信のいずれであるかを示す情報を取得してもよい。そして、サービス提供装置１０は、当該アプリが取得した情報を取得してもよい。
【００６９】
その他、アクセスポイントが所定条件を満たしたら、その旨が通信ユーザに通知されてもよい。そして、その後に通信ユーザから上記要求を通信速度制御装置４０に送信する指示入力を受付けたことに応じて、要求送信部１３は、上記要求を通信速度制御装置４０に送信してもよい。当該通知や当該指示入力の受け付けは、例えば、端末装置２０にインストールされた上記アプリを介して実現されてもよい。
【００７０】
次に、図９のフローチャートを用いて、サービス提供装置１０の処理の流れの一例を説明する。
【００７１】
判断部１２は、任意のタイミングでアクセス数管理部１１により管理されている所定の端末装置２０のアクセス数を取得する（Ｓ１０）。そして、判断部１２は、アクセス数に基づきアクセスポイントを算出し、算出したアクセスポイントが所定条件を満たすか判断する（Ｓ１１）。
【００７２】
所定条件を満たさない場合、サービス提供装置１０は処理を終了する（Ｓ１１のＮｏ）。一方、所定条件を満たす場合（Ｓ１１のＹｅｓ）、要求送信部１３は、通信速度制御装置４０に、対応する端末装置２０の低速通信を高速通信に変更する要求を送信する。
【００７３】
なお、アクセスポイントが所定条件を満たした時の対応する端末装置２０の通信速度が低速通信である場合、要求送信部１３は、アクセスポイントが所定条件を満たしたことに応じて、通信速度制御装置４０に上記要求を送信することができる。
【００７４】
一方、アクセスポイントが所定条件を満たした時の対応する端末装置２０の通信速度が高速通信である場合、要求送信部１３は、その後、所定期間内に（例：アクセス数がリセットされるまでの間に）、その端末装置２０の通信速度が低速通信になったことに応じて、通信速度制御装置４０に上記要求を送信することができる。なお、所定期間内にその端末装置２０の通信速度が低速通信にならなかった場合、要求送信部１３は、その端末装置２０の低速通信を高速通信に変更する要求を通信速度制御装置４０に送信しない。
【００７５】
サービス提供装置１０は、上記処理を、全ての端末装置２０に対して実行することができる。
【００７６】
「通信速度制御装置４０の構成」
次に、通信速度制御装置４０の構成を説明する。まず、通信速度制御装置４０のハードウエア構成の一例について説明する。通信速度制御装置４０が備える機能部は、任意のコンピュータのＣＰＵ、メモリ、メモリにロードされるプログラム、そのプログラムを格納するハードディスク等の記憶ユニット（あらかじめ装置を出荷する段階から格納されているプログラムのほか、ＣＤ等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。通信速度制御装置４０のハードウエア構成の一例は、端末装置２０と同様に図２で示される。
【００７７】
通信速度制御装置４０は、端末装置２０のモバイル回線の通信速度を制御する。具体的には、通信速度制御装置４０は、端末装置２０の通信速度を高速／低速の間で切り替える。例えば、通信速度制御装置４０は、月のデータ通信量が毎月のデータ通信量の上限を超えると、端末装置２０の通信速度を低速に切り替える。
【００７８】
また、通信速度制御装置４０は、サービス提供装置１０から受信した要求に基づき、端末装置２０の通信速度を制御する。例えば、通信速度制御装置４０は、サービス提供装置１０からの要求に応じて、対応する端末装置２０の通信速度を低速から高速に切り替える。
【００７９】
「作用効果」
以上説明したシステムによれば、上述したビジネスモデルが実現される。当該ビジネスモデルによれば、通信ユーザは、所定の条件を満たすようにネット広告主の広告を閲覧することで、自身のモバイル回線の利用環境を改善することができる。すなわち、追加料金を支払うことなく、広告の閲覧という行動により、自身のモバイル回線の利用環境の改善を実現することができる。このため、課金等の機能制限がかかった端末装置であっても、モバイル回線の利用環境を改善できる可能性が高まる。また、所定の条件が、例えば、広告への総アクセス数が基準値以上になることである場合、当該所定の条件を満たすために複数の通信ユーザが共同参加することができる。この場合、１端末装置あたりのアクセス数が少なくても、モバイル回線の利用環境を改善できる可能性が高まる。
【００８０】
また、このようなビジネスモデルによれば、通信ユーザは、ネット広告主の広告を積極的に閲覧するようになる。結果、より多くの人に自身の広告を閲覧してもらいたいというネット広告主の希望が満たされる。
【００８１】
このように、本実施形態のシステムによれば、通信ユーザとネット広告主双方に利益をもたらすシステムが実現される。
【００８２】
＜第２の実施形態＞
本実施形態のシステムは、端末装置２０の構成が第１の実施形態と異なる。サービス提供装置１０、広告サーバ３０及び通信速度制御装置４０の構成は、第１の実施形態と同様である。
【００８３】
端末装置２０は、図５及び図６を用いて説明した例のように、ディスプレイの立ち上げ、ロック画面の表示又はホーム画面の表示等に応じて、広告サーバ３０にアクセスして広告（広告の簡易情報、詳細情報の少なくとも一方）を取得する自動取得機能を有する。
【００８４】
そして、本実施形態では、当該自動取得機能は、端末装置２０の通信速度が低速の場合のみＯＮとなり、端末装置２０の通信速度が高速の場合はＯＦＦとなる。すなわち、通信速度が低速の場合は、ディスプレイの立ち上げ、ロック画面の表示又はホーム画面の表示等に応じて、ロック画面やホーム画面等に広告の簡易情報が表示されることになる（図６参照）。しかし、通信速度が高速の場合は、ディスプレイの立ち上げ、ロック画面の表示又はホーム画面の表示等に応じて、ロック画面やホーム画面等に広告の簡易情報が表示されない。端末装置２０のその他の構成は、第１の実施形態と同様である。
【００８５】
以上説明した本実施形態のシステムによれば、第１の実施形態と同様な作用効果を実現できる。また、本実施形態のシステムによれば、広告が自動的に表示される端末装置２０の機能を、必要なときのみ（通信速度が低速でアクセス数を稼ぐ必要がある時）に機能させることができる。かかる場合、不要なタイミングでの機能を抑制できるので、端末装置２０の処理負担を軽減できる。また、不要に広告が端末装置２０に表示されること回避できる。
【００８６】
＜第３の実施形態＞
本実施形態のシステムは、サービス提供装置１０の構成が第１及び第２の実施形態と異なる。端末装置２０、広告サーバ３０及び通信速度制御装置４０の構成は、第１及び第２の実施形態と同様である。
【００８７】
サービス提供装置１０は、端末装置２０から現時点の通信速度が高速通信、低速通信のいずれであるかを示す情報を取得する。例えば、端末装置２０にインストールされた上記アプリが、端末装置２０の通信速度の状態を管理する管理部から、現時点の通信速度が高速通信、低速通信のいずれであるかを示す情報を取得してもよい。そして、サービス提供装置１０は、当該アプリが取得した情報を取得してもよい。
【００８８】
サービス提供装置１０のアクセス数管理部１１は、図１０に示すように、端末装置２０の通信速度が制限されていない場合のアクセス数（例：高速通信時の広告サーバ３０へのアクセス数）と、端末装置２０の通信速度が制限されている場合のアクセス数（例：低速通信時の広告サーバ３０へのアクセス数）とを分けて取得し、管理する。そして、判断部１２は、通信速度制限時（低速通信時）のアクセス数と通信速度非制限時（高速通信時）のアクセス数との重みを互いに異ならせて、アクセスポイントを算出する。
【００８９】
例えば、低速通信時のアクセス数に重みを置くことができる。一例として、（アクセスポイント）＝（低速通信時のアクセス数）×（係数Ｋ１）＋（高速低速通信時のアクセス数）×（係数Ｋ２）の演算式に基づき、アクセスポイントが算出されてもよい。（係数Ｋ２）＞（係数Ｋ１）＞０である。
【００９０】
サービス提供装置１０のその他の構成は、第１及び第２の実施形態と同様である。
【００９１】
以上説明した本実施形態のシステムによれば、第１及び第２の実施形態と同様な作用効果を実現できる。また、本実施形態のシステムによれば、高速通信時の広告サーバ３０へのアクセス数と、低速通信時の広告サーバ３０へのアクセス数とを分けて管理することができる。結果、アクセスポイント算出方法の自由度が増す。
【００９２】
＜第４の実施形態＞
本実施形態のシステムは、サービス提供装置１０の構成が第１乃至第３の実施形態と異なる。端末装置２０及び広告サーバ３０の構成は、第１乃至第３の実施形態と同様である。
【００９３】
サービス提供装置１０の要求送信部１３は、低速通信を高速通信に変更する要求、又は、高速通信できる通信量の上限を引き上げる要求を、通信速度制御装置４０に送信する。
【００９４】
低速通信を高速通信に変更する要求を受信した通信速度制御装置４０は、当該要求に応じて、所定の端末装置２０の通信速度を低速から高速に切り替える。また、高速通信できる通信量（予め定められたデータ通信量）の上限を引き上げる要求を受信した通信速度制御装置４０は、当該要求に応じて、所定の端末装置２０の高速通信できる通信量の上限を引き上げる。
【００９５】
例えば、要求送信部１３は、アクセスポイントが所定条件を満たした時の対応する端末装置２０の通信速度が低速通信である場合、低速通信を高速通信に変更する要求を送信してもよい。一方、アクセスポイントが所定条件を満たした時の対応する端末装置２０の通信速度が制限されていない場合（例：通信速度が高速通信である場合）、端末装置２０の予め定められたデータ通信量の上限を引き上げる要求（例：高速通信できる通信量の上限を引き上げる要求）を送信してもよい。
【００９６】
なお、要求送信部１３は、アクセスポイントに応じて、データ通信量の上限を引き上げる要求における引き上げ量（例：高速通信できる通信量の上限の引き上げ量）を決定してもよい。例えば、図１１に示すように、満たしたアクセスポイントと、引き上げ量との関係が予め定められていてもよい。そして、当該関係に基づき、要求送信部１３は、要求する引き上げ量を決定してもよい。
【００９７】
図１１の例の場合、高速通信時にアクセスポイントが１５に達すると、要求送信部１３は、その時点で１００ＭＢの引き上げを要求する。そして、高速通信時にアクセスポイントがさらに上昇して３０に達すると、要求送信部１３は、その時点で３００ＭＢの引き上げをさらに要求する。そして、高速通信時にアクセスポイントがさらに上昇して５０に達すると、要求送信部１３は、その時点で１ＧＢの引き上げをさらに要求する。このように、達成されたアクセスポイントが大きくなるにつれ、引き上げ量の増加率が大きくなってもよい。
【００９８】
サービス提供装置１０及び通信速度制御装置４０のその他の構成は、第１乃至第３の実施形態と同様である。
【００９９】
以上説明した本実施形態のシステムによれば、第１乃至第３の実施形態と同様な作用効果を実現できる。また、本実施形態のシステムによれば、高速通信時にアクセスポイントが所定条件を満たした時と、低速通信時にアクセスポイントが所定条件を満たした時とで、提供するサービス内容を異ならせることができる。結果、広告閲覧に応じた回線改善サービスの内容が充実する。
【０１００】
＜第５の実施形態＞
本実施形態のシステムは、サービス提供装置１０、端末装置２０及び広告サーバ３０の構成が第１乃至第４の実施形態と異なる。通信速度制御装置４０の構成は、第１乃至第４の実施形態と同様である。
【０１０１】
図１２に、本実施形態のシステムの全体像を示す。本実施形態では、端末装置２０が広告サーバ３０へのアクセス数をカウントし、サービス提供装置１０にアクセス数を送信する。端末装置２０は、広告サーバ３０へのアクセス数に基づくサービスをサービス提供装置１０に要求する。ここで、端末装置２０が要求するサービスとは、例えば、通信環境の改善であってもよい。本実施形態の場合、サービス提供装置１０がアクセス数をカウントするための構成は不要となる。すなわち、サービス提供装置１０と広告サーバ３０との間における、広告サーバ３０にアクセスした端末装置２０を識別する情報の送受信は不要となる。また、サービス提供装置１０による端末装置２０ごとのアクセス数のカウントは不要となる。
【０１０２】
図１３に、本実施形態の端末装置２０の機能ブロック図の一例を示す。図示するように、端末装置２０は、取得部２１と、表示部２２と、カウント部２３と、アクセス数送信部２４とを有する。取得部２１及び表示部２２の構成は、第１乃至第４の実施形態と同様である。
【０１０３】
カウント部２３は、広告サーバ３０へのアクセス数をカウントする。カウント部２３は、広告サーバ３０へのアクセス数を記憶しており、取得部２１による広告サーバ３０へのアクセス、広告の取得に応じて、当該アクセス数を更新する（１増加する）。また、カウント部２３は、所定のタイミングで、アクセス数を０にリセットすることができる。
【０１０４】
所定のタイミングは、通信サービス事業者がカウントしている通信ユーザの月毎のデータ通信量を締めるタイミング等である。端末装置２０は、当該タイミングの到来を、通信サービス事業者のシステムから受信し、当該受信に応じてアクセス数を０にリセットしてもよい。その他、予め、端末装置２０には、当該タイミングを示す情報（例：毎月１日０時００分）が登録されていてもよい。そして、端末装置２０は自身で当該タイミングの到来を監視してもよい。
【０１０５】
アクセス数送信部２４は、カウント部２３によりカウントされたアクセス数を、サービス提供装置１０（外部装置）に送信する。アクセス数送信部２４は、予め定められた時間毎にその時点のアクセス数を送信してもよいし、アクセス数が更新される毎に更新後のアクセス数を送信してもよい。アクセス数送信部２４は、カウントされたアクセス数を送信することによって、サービス提供装置１０に当該アクセス数に基づくサービスを要求する。
【０１０６】
本実施形態の場合、サービス提供装置１０のアクセス数管理部１１は、広告サーバ３０にアクセスした複数の端末装置２０各々から、各々がカウントしたアクセス数を取得する。
【０１０７】
サービス提供装置１０及び端末装置２０のその他の構成は、第１乃至第４の実施形態と同様である。
【０１０８】
以上説明した本実施形態のシステムによれば、第１乃至第４の実施形態と同様な作用効果を実現できる。また、各端末装置２０がアクセス数をカウントする本実施形態のシステムによれば、サービス提供装置１０及び広告サーバ３０の処理負担を軽減できる。
【０１０９】
以下、参考形態の例を付記する。
１．  広告を提供する広告サーバへのアクセス数を、端末装置別に取得するアクセス数管理手段と、
前記アクセス数に基づいたアクセスポイントが所定条件を満たすか判断する判断手段と、
前記アクセスポイントが前記所定条件を満たす場合、対応する前記端末装置の通信環境を改善するための要求を送信する要求送信手段と、
を有するサービス提供装置。
２．  １に記載のサービス提供装置において、
前記アクセス数管理手段は、前記広告サーバにアクセスした前記端末装置を識別する情報を前記広告サーバから取得し、取得した前記情報に基づき、前記端末装置別に前記アクセス数をカウントするサービス提供装置。
３．  １に記載のサービス提供装置において、
前記アクセス数管理手段は、前記広告サーバにアクセスした複数の前記端末装置各々から前記アクセス数を取得するサービス提供装置。
４．  １に記載のサービス提供装置において、
前記アクセスポイントは、第１の前記端末装置から取得した前記アクセス数に基づいた第１のアクセスポイントであるサービス提供装置。
５．  ３に記載のサービス提供装置において、
前記アクセスポイントは、前記複数の端末装置から取得した複数の前記アクセス数に基づいた総アクセスポイントであるサービス提供装置。
６．  ４及び５に記載のサービス提供装置において、
前記判断手段は、
前記第１のアクセスポイントが第１の所定条件を満たすか判断し、
前記総アクセスポイントが第２の所定条件を満たすか判断するサービス提供装置。
７．  １から６のいずれかに記載のサービス提供装置において、
前記要求は、前記端末装置の通信速度を現在よりも高速に変更する要求であるサービス提供装置。
８．  １から６のいずれかに記載のサービス提供装置において、
前記要求は、前記端末装置の通信速度が制限されていない場合、前記端末装置の予め定められたデータ通信量の上限を引き上げる要求であるサービス提供装置。
９．  ８に記載のサービス提供装置において、
前記要求通信手段は、前記アクセスポイントに応じて、前記データ通信量の上限を引き上げる要求における引き上げ量を決定するサービス提供装置。
１０．  １から６のいずれかに記載のサービス提供装置において、
前記アクセス数管理手段は、前記端末装置の通信速度が制限されている場合の前記アクセス数と、前記端末装置の通信速度が制限されていない場合の前記アクセス数とを取得するサービス提供装置。
１１．  １０に記載のサービス提供装置において、
前記判断手段は、前記端末装置の通信速度が制限されている場合の前記アクセス数と前記端末装置の通信速度が制限されていない場合の前記アクセス数との重みを互いに異ならせて、前記アクセスポイントを算出するサービス提供装置。
１２．  アクセス数に基づいたアクセスポイントが所定条件を満たすと端末装置の通信速度に関する要求が送信されることとなる広告サーバにアクセスして、広告を取得する取得手段と、
前記広告をディスプレイに表示する表示手段と、
を有する端末装置。
１３．  １２に記載の端末装置において、
前記取得手段は、前記端末装置のディスプレイに情報が表示されていない状態から前記ディスプレイに情報が表示された状態に変化すると、当該変化に応じて前記広告サーバにアクセスして広告を取得する端末装置。
１４．  １３に記載の端末装置において、
前記ディスプレイに情報が表示されていない状態では前記ディスプレイのバックライトが消灯しており、前記ディスプレイに情報が表示されている状態では前記ディスプレイのバックライトが点灯している端末装置。
１５．  １２から１４のいずれかに記載の端末装置において、
前記取得手段は、前記広告サーバにアクセスする指示を入力するためのボタンを前記ディスプレイに表示しておき、前記ボタンに対する操作に応じて、前記広告サーバにアクセスして広告を取得する端末装置。
１６．  １２から１５のいずれかに記載の端末装置において、
前記広告サーバへのアクセス数をカウントするカウント手段と、
前記アクセス数を外部装置に送信するアクセス数送信手段と、
をさらに有する端末装置。
１７．  コンピュータが、
広告を提供する広告サーバへのアクセス数を、端末装置別に取得するアクセス数管理工程と、
前記アクセス数に基づいたアクセスポイントが所定条件を満たすか判断する判断工程と、
前記アクセスポイントが前記所定条件を満たす場合、対応する前記端末装置の通信環境を改善するための要求を送信する要求送信工程と、
を実行するサービス提供方法。
１８．  コンピュータを、
広告を提供する広告サーバへのアクセス数を、端末装置別に取得するアクセス数管理手段、
前記アクセス数に基づいたアクセスポイントが所定条件を満たすか判断する判断手段、
前記アクセスポイントが前記所定条件を満たす場合、対応する前記端末装置の通信環境を改善するための要求を送信する要求送信手段、
として機能させるプログラム。
１９．  コンピュータが、
アクセス数に基づいたアクセスポイントが所定条件を満たすと端末装置の通信速度に関する要求が送信されることとなる広告サーバにアクセスして、広告を取得する取得工程と、
前記広告をディスプレイに表示する表示工程と、
を実行する端末装置の処理方法。
２０．  コンピュータを、
アクセス数に基づいたアクセスポイントが所定条件を満たすと端末装置の通信速度に関する要求が送信されることとなる広告サーバにアクセスして、広告を取得する取得手段、
前記広告をディスプレイに表示する表示手段、
として機能させるプログラム。
２１．  広告サーバへのアクセス数をカウントするカウント手段と、
前記アクセス数に基づくサービスを外部装置に要求するアクセス数送信手段と、
を有する端末装置。
２２．  コンピュータが、
広告サーバへのアクセス数をカウントするカウント工程と、
前記アクセス数に基づくサービスを外部装置に要求するアクセス数送信工程と、
を実行する端末装置の処理方法。
２３．  コンピュータを、
広告サーバへのアクセス数をカウントするカウント手段、
前記アクセス数に基づくサービスを外部装置に要求するアクセス数送信手段、
として機能させるプログラム。
【符号の説明】
【０１１０】
１Ａ    プロセッサ
２Ａ    メモリ
３Ａ    入出力Ｉ／Ｆ
４Ａ    周辺回路
５Ａ    バス
１０    サービス提供装置
１１    アクセス数管理部
１２    判断部
１３    要求送信部
２０    端末装置
２１    取得部
２２    表示部
２３    カウント部
２４    アクセス数送信部
３０    広告サーバ
４０    通信速度制御装置
【図１】
2019164412.tif 000003
【図２】
2019164412.tif 000004
【図３】
2019164412.tif 000005
【図４】
2019164412.tif 000006
【図５】
2019164412.tif 000007
【図６】
2019164412.tif 000008
【図７】
2019164412.tif 000009
【図８】
2019164412.tif 000010
【図９】
2019164412.tif 000011
【図１０】
2019164412.tif 000012
【図１１】
2019164412.tif 000013
【図１２】
2019164412.tif 000014
【図１３】
2019164412.tif 000015